(57)【特許請求の範囲】
【請求項１】
天蓋と、この天蓋に上端部が固定された複数の支持具と、前記天蓋に対向して設けられ介在部材を介して複数の前記支持具により支持された照明板とを備え、
各前記支持具は、下端部に、水平に前記照明板側に突出した突出部と、この突出部の下側であって前記介在部材が出し入れ自在の溝が形成された受け部と、この受け部と前記突出部とを垂直方向に延びて連結した連結部とをそれぞれ有し、かつ前記突出部、前記受け部及び前記連結部が一体で構成されており、
前記照明板は、前記突出部と前記溝に収まった前記介在部材とにより挟まれて、上下方向の移動が規制されるとともに、対向した一対の前記連結部により水平方向の移動が規制され、
また、前記照明板は、この外形寸法が対向した一対の前記受け部間の内寸法よりも小さいことを特徴とするエレベータのかご天井装置。
【請求項２】
前記介在部材は、この下部に前記溝に対する出し入れ用に供される窪みが形成されていることを特徴とする請求項１に記載のエレベータのかご天井装置。
【請求項３】
前記介在部材は、前記照明板と同一材料で構成されていることを特徴とする請求項１または２に記載のエレベータのかご天井装置。
【発明の詳細な説明】
【技術分野】
【０００１】
この発明は、照明装置の下方に配置される照明板を、天蓋に設けられた支持具で支持するエレベータのかごの天井装置に関するものである。
【背景技術】
【０００２】
従来、エレベータのかごの天井装置として、かご室の上面を覆い、開閉可能な開口部を有する天井板と、この天井板から垂下された吊り具と、吊り具により支持されてかご室内の天井を形成する吊り天井板と、天井板と吊り天井板との間に収納された光源とを備えたものが知られている（例えば、特許文献１参照）。
そして、このものの場合、光源を取り替える場合、吊り天井板の一端部を押し上げて天井板の開口部からかご室の外に出して吊り天井板を傾斜させて光源を露出させ、この後光源の取り替えを行なうものが知られている（例えば、特許文献１参照）。
【先行技術文献】
【特許文献】
【０００３】
【特許文献１】特開２００７−８６１３号公報
【発明の概要】
【発明が解決しようとする課題】
【０００４】
上記のエレベータのかごの天井装置は、天井板と吊り天井板との間の寸法を短くすることを目的としたものであるが、光源を取り替える場合、光源を露出させる角度まで吊り天井板を垂直方向に回動させるという面倒な作業をしなければならないという問題点があった。
また、吊り天井板を回動させる作業過程で光源や他の機器と接触してそれらが破損するおそれがあるという問題点もあった。
【０００５】
この発明は、かかる問題点を解決するためになされたもので、天蓋と照明板との間の間隔が小さいまま、照明装置等の破損のおそれがある照明板の回動作業をすることなく照明板の取付け及び取外しを簡単に行なうことができるエレベータのかご天井装置を得ることを目的とする。
【課題を解決するための手段】
【０００６】
この発明に係るエレベータのかご天井装置は、天蓋と、この天蓋に上端部が固定された複数の支持具と、前記天蓋に対向して設けられ介在部材を介して複数の前記支持具により支持された照明板とを備え、
各前記支持具は、下端部に、水平に前記照明板側に突出した突出部と、この突出部の下側であって前記介在部材が出し入れ自在の溝が形成された受け部と、この受け部と前記突出部とを垂直方向に延びて連結した連結部とをそれぞれ有し、かつ前記突出部、前記受け部及び前記連結部が一体で構成されており、
前記照明板は、前記突出部と前記溝に収まった前記介在部材とにより挟まれて、上下方向の移動が規制されるとともに、対向した一対の前記連結部により水平方向の移動が規制され、
また、前記照明板は、この外形寸法が対向した一対の前記受け部間の内寸法よりも小さい。
【発明の効果】
【０００７】
この発明によるエレベータのかご天井装置によれば、照明板の取付け、取外しの際には照明板を傾ける必要がないので、照明板が照明装置に当たりにくくなり、照明装置の破損の防止を図ることができる。
また、照明板の取付け、取外しのための逃がしスペースが不要であり、天蓋と照明板との間の間隙寸法は短く、厚さを薄いかご天井装置が確保される。
【図面の簡単な説明】
【０００８】
【図１】この発明の実施の形態１のエレベータのかご天井装置を示す断面図である。
【図２】図１の支持具を示す拡大図である。
【図３】図１のエレベータのかご天井装置の照明装置の取り替え工程を示す断面図である。
【図４】図１のエレベータのかご天井装置の照明装置の取り替え工程を示す断面図である。
【図５】図１のエレベータのかご天井装置の照明装置の取り替え工程を示す断面図である。
【図６】図１のエレベータのかご天井装置の照明装置の取り替え工程を示す断面図である。
【図７】この発明の実施の形態２のエレベータのかご天井装置を示す断面図である。
【発明を実施するための形態】
【０００９】
以下、この発明の各実施の形態について図に基づいて説明するが、各図において、同一、または相当部材、部位については同一符号を付して説明する。
【００１０】
実施の形態１．
図１はこの発明の実施の形態１によるエレベータのかご天井装置（以下、かご天井装置と略称する。）を示す断面図、図２は図１の支持具４を示す拡大図である。
【００１１】
このかご天井装置は、かごの縦壁（図示せず）の上端部に周縁部が支持されることによりエレベータのかごの上部に配置されている。
かご天井装置は、周縁部が縦壁上に載せられて固定された天蓋１と、天蓋１に支持され、天蓋１の下方に配置される複数の蛍光灯である照明装置２と、各照明装置２の下方であって天蓋１に対して平行に配置され、各照明装置１からの光をかご内へ通す照明板３と、天蓋１に一端部が固定され、他端部で介在部材５を介して照明板３を支持した支持具４とを有している。
【００１２】
支持具４は、一対対向して天蓋１に配置され、かつ照明板３の縁部の全幅にわたって延設されている。なお、図１において、支持具４は、紙面に対して垂直方向側には配置されていない。
この支持具４は、下端部において、水平に照明板３側に突出した突出部６と、この突出部６の下側であって介在部材５が出し入れ自在の溝７を有する受け部８と、この受け部８の上端部から垂直方向に延びて突出部６の中間部で連結した連結部９とを備えている。
介在部材５は、照明板３と同一の材料であるアクリル板で構成され、支持具４と同様に、照明板３の縁部を全長にわたって延びて配置されている。
【００１３】
照明板３は、突出部６と溝７に収まった介在部材５とにより挟まれて、上下方向の移動が規制されている。
また、照明板３は、対向した一対の連結部９により水平方向の移動が規制されている。
また、照明板３は、この外形寸法が対向した支持具４の受け部８の内側端面同士間の内寸法Ｌよりも小さい。
【００１４】
次に、上記構成のかご天井装置において、照明装置２を取り替える手順について、図に基づいて説明する。
先ず、介在部材５を受け部８の溝７から引き抜く（図３）。
この後、照明板３をかご室内に降ろす（図４）。このとき、照明板３は、一対の受け部８間の内寸法Ｌよりも小さいので、照明板３を円滑に降ろすことができる。
次に、照明装置２を取り替えた後に、照明板３を、この両縁部が支持具４の突出部６の下面に当接するまで、持ち上げる（図５）。このとき、照明板３は、降ろしたときと同様に、受け部８に邪魔されることはなく持ち上げられる。
最後に、受け部８の溝７に介在部材５を差し込むことで、照明板３は、上下方向、水平方向の両方向の移動が規制された状態で支持具４に取付けられる。
【００１５】
上記実施の形態によるかご天井装置によれば、照明板３は、突出部６と溝７に収まった介在部材５とにより挟まれて、上下方向の移動が規制されるとともに、対向した連結部９により水平方向の移動が規制され、照明板３は、この外形寸法が対向した一対の受け部８間の内寸法よりも小さくなっている。
そして、例えば、照明装置２を取り替えるために、照明板３の取付け、取外しを行なう際には、介在部材５を受け部８の溝７に挿脱し、また照明板３を水平のまま上下動すればよい。
従って、照明板３の取付け、取外しの際には照明板３を傾ける必要がない、即ち照明板３の取付け、取外しのための逃がしスペースが不要となり、天蓋１と照明板３との間の寸法は短くてよく、かご天井装置の厚さは薄くてよい。
【００１６】
また、支持具４に対する照明板３の取付け、取外しの際に照明板３を傾ける必要がないので、照明板３が照明装置２に当たりにくくなり、照明装置２の破損の防止を図ることができる。
【００１７】
また、照明板３の取付け、取外しは、介在部材５の受け部８の溝７に対する挿脱、及び照明板３の上下動という簡単な作業でよく、照明装置２の交換を短時間で済ませることができる。
【００１８】
また、照明板３は、上下方向及び水平方向の両方向の移動が規制されているので、かご室内から悪戯で取り外されにくい。
【００１９】
また、照明板３の寸法が小さい場合には、長い介在部材５を採用することで、小さな照明板３に対して対応することができる。
【００２０】
また、介在部材５は、照明板３と同一の部材であるアクリル板で構成されているので、意匠性が向上する。
【００２１】
実施の形態２．
図７はこの発明の実施の形態２のかご天井装置を示す断面図である。
この実施の形態では、介在部材５Ａは、この下部に溝７に対する出し入れ用に供される窪み１１が形成されている。
他の構成は、実施の形態１のかご天井装置と同じである。
【００２２】
この実施の形態では、介在部材５Ａを受け部８の溝７に出し入れする際には、作業者は、窪み１１に指をかけて行なえばよく、照明装置２の交換作業性が、実施の形態１のものと比較してさらに向上する。
【００２３】
なお、上記の各実施の形態では、支持具４及び介在部材５は、照明板３の全幅にわたって連続的に形成したものであったが、照明板３の縁部に沿って間隔をあけて複数配置するようにしてもよい。
また、上記の各実施の形態では、対向した一対の支持具４で照明板３の対向した縁部をそれぞれ支持したが、照明板３の四辺の各縁部を支持具４でそれぞれ支持したものでも、この発明は適用することができる。
【符号の説明】
【００２４】
１  天蓋、２  照明装置、３  照明板、４  支持具、５，５Ａ  介在部材、６  突出部、７  溝、８  受け部、９  連結部、１０  天井開口部、１１  窪み。
【図１】
0005959304.tif 000002
【図２】
0005959304.tif 000003
【図３】
0005959304.tif 000004
【図４】
0005959304.tif 000005
【図５】
0005959304.tif 000006
【図６】
0005959304.tif 000007
【図７】
0005959304.tif 000008